(57)【要約】      （修正有）【課題】到達不能な移動電話機に向けられた電話呼を処理し、かつそれらに関するデータを処理するための方法を提供する。【解決手段】本方法では、（Ｉ）移動電話呼利用者がデタッチモードであるか一時的に無線周波数信号により到達可能な範囲外にいるために到達不能であるときに、異なる番号または応答サービスへの呼迂回サービスが使用可能でない場合に、電話呼が電話呼データ管理および格納装置１４に経路指定され、（ＩＩ）移動電話機が再び到達可能になったときに、電話呼の加入者番号に通知が送信される。前記通知はＳＭＳの形で行われ、移動電話機が到達不能であった期間中に実行され失敗に終わった電話呼の電話呼データを含む。この種のサービスに関係する特殊装置９の動作も開示する。【選択図】図１
2008099307.tif 000002
【特許請求の範囲】
【請求項１】
発信加入者から被呼加入者の無線移動電話機への電話呼を処理するための方法であって、
（Ｉ）被呼加入者の移動電話機がデタッチモードであるため、または無線周波数信号が到達しないために通信不能であり、かつ同時に応答サービスまたは別の電話番号への呼迂回サービスが作動していないかを判定するステップと、
（ＩＩ）上記判定結果がイエスである場合、交換ノードからの電話呼の信号成分を、当該交換ノードとは別に設けられた、電話呼に関するデータ格納・管理装置に指定送信するステップと、
（ＩＩＩ）前記データ格納・管理装置において、指定送信された電話呼の信号成分から発信加入者の電話番号を抽出して、その抽出された電話番号を電話呼の日時とともに番号リストに記録させるステップと、
（ＩＶ）前記交換ノードが電話呼の音声チャンネルを解除することを可能にするために、前記データ格納・管理装置から前記交換ノードに配信メッセージを送信するステップと、
（Ｖ）前記データ格納・管理装置において、被呼加入者の移動電話機が通信不能であるかを再度判定するステップと、
（ＶＩ）上記再度の判定がイエスである場合、電話呼の前記電話番号及び前記日時を含むメッセージを前記データ格納・管理装置からＳＭＳサービスセンタに送信するステップと、
（ＶＩＩ）前記ＳＭＳサービスセンタから被呼加入者の移動電話機に対して、電話呼の前記電話番号及び前記日時を含むＳＭＳメッセージを送信するステップと、
を含む電話呼処理方法。
【請求項２】
前記記録するステップ（ＩＩＩ）は、
（ａ）発信加入者の電話番号が以前の電話呼の日時とともに前記番号リストに既に含まれているかをチェックするステップと、
（ｂ）上記チェック結果がイエスの場合、前記番号リストにおいて、前記発信加入者によってなされた直前の電話呼の日時を新たな電話呼の日時に書き換えるステップと、
（ｃ）上記チェック結果がノーの場合、前記発信加入者の電話番号及び電話呼の日時を前記番号リストに追加するステップと、
をさらに含む、請求項１に記載の電話呼処理方法。
【請求項３】
移動電話機がデタッチモードのとき、または無線周波数信号が前記移動電話機に到達できないときに、前記移動電話機に向けられた電話呼に関するデータの格納および管理のための装置において、
−移動電話ネットワークの交換ノードと協働するとともに、前記電話呼の信号成分から発信加入者の電話番号を抽出するのに適した手段と、
−抽出された電話番号と電話呼の日時を格納し処理するための手段と、
−移動電話ネットワークのＨＬＲと協働して、無線周波数信号が到達可能なエリア内への移動電話機の戻りの通知要求を実行するのに適した手段と、
−移動電話ネットワークのＳＭＳセンタと協働して、無線周波数信号が到達可能なエリア内に戻った移動電話機に対して、前記抽出された電話番号と電話呼の日時を包含するＳＭＳメッセージを送信するのに適した手段と、を備えている、データ格納・管理装置。
【発明の詳細な説明】
【技術分野】
【０００１】
本発明は一般的に、セルラ無線移動ネットワークの加入者との通信を確立する問題に関連し、さらに詳しくは、無線周波数信号が到達しないため、または移動電話機がデタッチモードであるため通信不能であるときに加入者の電話機に電話しようとした相手加入者の電話番号を加入者が獲得することを可能にする、セルラ無線移動ネットワークを介する電気通信サービスに関する。本発明は、このサービスを実現するための方法、およびそれを提供するときに使用される特殊装置の機能の両方に関係する。
【背景技術】
【０００２】
最近の推定では、現在イタリアにおける公衆無線移動体事業に関係しているあらゆる電話ネットワーク事業者に、「目標」移動電話機が到達不能であるか、またはデタッチモードであるために不成功に終わる電話呼が毎日数千万件あることが示唆されている。
【０００３】
換言すれば、電話応答システム（応答サービス）および呼迂回サービスの使用の増加にもかかわらず、それでもなお、幾つかの特殊な状態で毎秒４００件の呼が失敗し、それにより発信トラヒックの程度が制限され、あるいはいずれにせよ、加入者に提供されるサービスが限定される。
【０００４】
この種の問題に取り組むときにネットワーク管理者が見出す基本的な難しさは、かなりのトラヒックを処理することである。
【０００５】
実際、不成功に終わる多数の呼によるそのような際立った量のデータを同時に記録し管理する問題、このサービスの地理的負荷の一貫性のある評価によって生じる難しさ、起こり得るネットワーク障害の管理等は、今までこの問題の解決策が考慮されず、実行に移されることもなかったという状況を導いた。
【０００６】
次のような多くの理由が通信を確立することを不可能にする原因になり得るので、この問題に単純な解決策は適さない。
−無線移動電話機がデタッチモードであり、ネットワークがこの事実（デタッチ）を確認する信号を獲得した。
−バッテリが放電したかその作動位置から切り離されているか、あるいはＳＩＭカードがオフになっている。
−無線チャネルが偶然性に大きく依存していることはよく知られており、トランシーバ局が通信不能である状態が存在することがある。
【０００７】
最後に、いずれの場合も、応答システムまたはさらなる電話番号への呼迂回サービスを可能にする見込みを検証することが必要である。
【０００８】
他方、被呼加入者と通信することをできなくするこれらの状態は、今まで、無線移動サービスの利用者によって、本質的に予見可能であるが全く避けられないものとして受け入れられてきた。換言すれば、瞬間的に到達不能またはデタッチモードになり得る移動電話機の作動原理の内在的な性質のため、固定ネットワークに比較して、セルラ電話ネットワークは必然的にこの欠点を導くことが明白であるので、接続を確立できないことに関するこの問題は提起されてこなかった。
【０００９】
本発明の目的は、「通信不能な移動電話機」の問題によって生じる通信障壁による欠点を除去することによって、サービスの改善を可能にする、無線移動電話機に向けられた電話呼を管理するための処理手順を提供することである。
【００１０】
本発明のさらなる目的は、ネットワーク事業者によって利用者に提供される無料基本サービスの数を増加することである。
【００１１】
本発明の最後の目的は、通信不能な無線移動電話機への呼を処理し、かつ関連獲得情報を処理するための方法であって、容易な保守を可能にし、かつ該方法の実現のコストを低減するために、セルラ無線移動電話機の分野における標準的なプロトコル、技術、および構成要素を使用する方法を提供することである。
【発明の開示】
【００１２】
説明から明らかになるこれらおよびさらなる目的は、通信不能な無線移動電話機に向けられた電話呼を処理し、かつ発呼加入者に関連付けられる情報（電話番号、電話呼の時刻、および何らかの追加情報など）を処理するための方法によって達成される。該方法は、（Ｉ）被呼加入者の移動電話機がデタッチモードであるため、または無線周波数信号が到達しないために通信不能であり、かつ同時に応答サービスまたは別の電話番号への呼迂回サービスが作動していないかを判定するステップと、
（ＩＩ）上記判定結果がイエスである場合、交換ノードからの電話呼の信号成分を、当該交換ノードとは別に設けられた、電話呼に関するデータ格納・管理装置に指定送信するステップと、
（ＩＩＩ）前記データ格納・管理装置において、指定送信された電話呼の信号成分から発信加入者の電話番号を抽出して、その抽出された電話番号を電話呼の日時とともに番号リストに記録させるステップと、
（ＩＶ）前記交換ノードが電話呼の音声チャンネルを解除することを可能にするために、前記データ格納・管理装置から前記交換ノードに配信メッセージを送信するステップと、
（Ｖ）前記データ格納・管理装置において、被呼加入者の移動電話機が通信不能であるかを再度判定するステップと、
（ＶＩ）上記再度の判定がイエスである場合、電話呼の前記電話番号及び前記日時を含むメッセージを前記データ格納・管理装置からＳＭＳサービスセンタに送信するステップと、
（ＶＩＩ）前記ＳＭＳサービスセンタから被呼加入者の移動電話機に対して、電話呼の前記電話番号及び前記日時を含むＳＭＳメッセージを送信するステップと、
を含んでいる。
【００１３】
ここで開示する方法は、いずれにしても完全な逐次作動発呼および応答ステップシーケンス（トランザクション）、ならびにしたがってチャネルが接続されている時間に応じた利用者の費用を含む、公知の応答サービスへの電話呼迂回とは基本的に異なる。該サービスはＴＡＣＳ、ＧＳＭ、またはＧＰＲＳ技術を使用して実現され、またＵＭＴＳ技術を利用することによっても実現することができる。
【００１４】
利用者に関する限り、本サービスは次のステップに従って働く。
−利用者が通信不能（セルラ移動電話機がデタッチモードまたは無線周波数信号が到達不能）である間に被呼されると、発呼利用者は、被呼利用者が通信不能である事実に関して通知する音声メッセージを受け取る（本サービスは自動であり、いかなる種類の制御選択も発呼利用者によって実行されない）。
−被呼利用者が再び通信可能になった直後に、通信不能であった時間中に失敗に終わった全ての電話呼の指摘を含むＳＭＳ通知を受け取る。この通知はＳＭＳテキストによってＧＳＭ無線移動電話機の所有者、およびＳＭＳテキストメッセージを送受信するように適応されたＴＡＣＳ無線移動電話機の所有者に送信されるが、セルラ無線電話機がＳＭＳテキストを処理するように適応されていないＴＡＣＳ利用者の場合、通知は音声ＳＭＳの形で送信される。発呼加入者の電話番号、電話呼の時刻、および発呼加入者および／または被呼加入者に関する何らかの他の関連情報が同時に送信される。利用者（同一電話番号を持つ）が数回被呼された場合、最新の電話呼に関する指摘だけが提供される。さらに、失敗に終わった電話呼の番号が単一ＳＭＳにおける利用可能な制限を超える場合、さらなるＳＭＳが送信される。失敗に終わった電話呼に関する情報は、予め定められた最長時間の間だけ格納しておくことができる。
【００１５】
該サービスは、次の状況では起動されない。
−応答システムに向かって、または異なる電話番号に向かって、呼迂回サービスがすでに作動中である。
−発呼利用者の電話番号が入手できないか、または提示されない（例えば、外国からの電話呼、または隠蔽番号の場合等）。
−被呼利用者が外国でローミングしている。
【００１６】
次に、添付の図面に示す本発明の好適な実施形態について、その一般性および可能な用途を制限することなく、単なる説明のために以下で記述する。
【発明を実施するための最良の形態】
【００１７】
詳細な説明を始める前に、本発明が関連する技術分野で実際に使用される記号および略語のリストを予備的に紹介する。
１．デタッチ(DETACH)：  利用者が「オフ」キーを押すことによって、自分の無線移動セルラ電話機をオフにしていること。
２．ＨＬＲ：  ホームロケーションレジスタ：  登録されたセルラ電話機に関するデータを含むデータベース。
３．ＩＭＳＩ：  ＳＩＭカードの無線移動アイデンティティ。
４．ＩＰ：  インターネットプロトコルで定義されたネットワークアドレス。
５．ＩＡＭ  初期アドレスメッセージ：  発呼／被呼者に関する情報を含むシグナリングメッセージ。
６．ＩＳＵＰ  ＩＳＤＮユーザ部：  ＧＳＭネットワークシグナリング。
７．ＭＡＰ  移動通信応用部：  （ＭＡＰ  ＧＳＭが暗示される場合に）利用者の移動性を管理するためにＧＳＭネットワークのノードによって使用されるプロトコルを示す。
８．ＭＳＣ  移動交換局：  移動電話用の交換局。
９．ＭＳＩＳＤＮ  移動局サービス統合ディジタルネットワーク：  移動電話機の番号を示す（例：０３３８  ４５１８４５）。
１０．ページング：呼が到着したことを無線移動電話機に知らせるためにＭＳＣ／ＶＬＲから拡散される無線信号。
１１．ＰＬＭＮ：公衆陸上移動ネットワーク
１２．ＰＳＴＮ：公衆交換電話ネットワーク
１３．ローミング：ＧＳＭ移動電話機が、移動電話機のＧＳＭカードを発行したネットワークとは異なるネットワークに接続された状態を示す。
１４．ＳＭＳ−Ｃ：ショートメッセージ用のサービスセンタ。
１５．ＳＴＰ  信号転送プロトコル：  中間ノードを通して信号メッセージをその宛先に転送することを可能にする信号電話ネットワークの機能を示す。
１６．ＴＧＤＳ  ＴＡＣＳ／ＧＳＭ  ゲートウェイ配信システム：  ワイヤレスメッセージシステム作動手順の統合のために実現される多機能ハードウェアおよびソフトウェアプラットフォーム。
１７．ＵＣＰ  汎用コンピュータプロトコル：  サービスセンタＳＭＳ−Ｃへのデータ伝送に使用されるプロトコル。
１８．ＶＬＲ  ビジタロケーションレジスタ：  移動電話機の実際の位置に関する情報を含むデータベース。
【００１８】
次に、図１を参照すると、この図は、このサービスを提供するために使用されるアーキテクチャを概略的に示し、破線は標準プロトコルスタックの機能を示す。他方、図２および３は、このサービスを実行するために使用されるそれぞれの作動方法を示し、それは次のステップを含む。
Ｉ）発呼加入者１'、１''は宛先または「目標」番号をダイヤルし（ステップ３０）、電話呼が固定回線１''から行われる場合にはＰＳＴＮ電話ネットワーク４に、電話呼が移動電話機１'から行われる場合には電話ネットワークＰＬＭＮ５に、接続することによって、電話呼を実行する。
ＩＩ）発信交換局ＭＳＣ２は、３１で、ＳＴＰ１０によってローミング宛先番号を尋ねることにより、加入者レジスタ３（以下、ＨＬＲ）に問合せを行う。
ＩＩＩ）ＨＬＲ３は、３２で（ＶＬＲ番号に基づいて）、移動電話機が外国でローミングしているかどうかを検査する（このステップはＧＳＭネットワークの場合にだけ有効である）。
−答えが「はい」である場合、電話呼はＧＳＭネットワークで定められた通常の手順３３に従って処理される。
−答えが「いいえ」である場合、手順は以下で述べるステップに続く。
ＩＶ）ＨＬＲ３は、宛先移動電話機がデタッチモードであるかどうかを検査する（３４）。
ＩＶｉ）答えが「いいえ」である場合、宛先番号が登録されている局ＭＳＣ／ＶＬＲ（宛先局）のローミング番号が発信交換局ＭＳＣ２に送信され（３５）、後述するように、移動電話機が通信可能であるかどうかの検査に関係するステップＶおよびその後のステップに続く。
ＩＶｉｉ）答えが「はい」である場合、３６で、宛先番号がそれ自体の応答サービスまたは別の電話番号への呼迂回サービスを使用可能にしているかどうかを検査する。
−答えが「はい」である場合、呼迂回の行先の番号が発信交換局２（ＭＳＣ）に返され（３７）、ステップＩＩに戻る。
−答えが「いいえ」である場合、電話呼の格納および管理（以下「ページング管理」とも言う）のための装置（９）の番号が発信交換機（ＭＳＣ）２に返され（３８）、次いで後述するステップＶＩに進む。
Ｖ）移動電話機のデタッチモードの予備検査が否定的結果を導いた場合、宛先（「目標」）電話機が通信可能であるかどうかを確定するために、宛先局はさらなるテスト４０を実行する。
−答えが「はい」である場合、無線移動電話システムで規定された一般的手順に従って、電話呼の通常の手順が３３で開始される。
−他方、移動電話機が通信不能である場合、ページング管理のための装置９の番号への接続が３８で確立され、次のステップに進む。
ＶＩ）移動電話機がオフになっているかまたは信号到達不能であり、かつ呼迂回が使用不能である場合、発呼利用者は通知を受け取り、電話呼はページング管理のための装置９に経路指定される。信頼度を高めるために、ページング管理の２つのノードが使用される。両ノードは電話呼の同一データベース１４を共用し、それはそれぞれのサイトで複製される。２つのデータベースの正しい同期化および管理を実現するため、かつ同一レコードのアクセス競合（移動電話機をオフにしているかまたは無線周波数信号が到達不能である同じ人に、２人の利用者が同時に発呼したときに発生する）を回避するために、ページング管理装置への呼転送用に２系列の異なる番号付けをＨＬＲ３に定義することにした（これらの系列は「呼転送番号ＭＳＩＳＤＮページング  １」および「呼転送番号ＭＳＩＳＤＮページング  ２」と呼ばれる）。番号付けの総数は１０であり（他のページング管理プラットフォームを将来導入する可能性を見越して余裕をもたせるため）、それらは、番号付けの終わりに、サービスが稼働されるようになる被呼電話機のＭＳＩＳＤＮの最後の番号「４７０００」を加えることによって形成される。この趣旨で、通信不能な移動電話機への電話呼に関する情報を格納し管理するための装置であるページング管理装置９は、プロトコルＩＳＵＰの管理を通してＧＳＭネットワークの交換ノードと協働する能力、および通信不能な移動電話機に向けられた電話呼またはオフ状態の電話機に向けられた電話呼のためのＩＳＵＰ  ＩＡＭメッセージから発呼番号を抽出する能力に関連する多数の特定の機能要件を満たす。さらに、オフ状態のために通信不能である各移動電話機に向けられた電話呼に関係する全ての情報を専用データベース１４に格納する能力も提供される。
【００１９】
さらに、ページング管理装置９は、無線周波数信号が到達可能なエリア内で、瞬間的に通信不能な移動電話機の戻り（return）に対して切替え要求ができるように、ＭＡＰプロトコルの管理を通してＨＬＲと協働するのに適している。最後に、無線周波数信号が到達可能なエリア内に戻った移動電話機に向けてテキストメッセージを送信するために、ＵＣＰプロトコルの管理を通して、それ自体をＧＳＭ交換局のＳＭＳサービスセンタ１１とインタフェースすることも可能である。
【００２０】
他方、本発明に係る特定の機能の手順の実現の態様において、ページング管理装置９は次の動作を連続的に実行する。
Ｉ−ページング管理装置９は５０で電話呼の信号成分だけを受け取り、ＩＳＵＰシグナリングのＩＡＭメッセージから発呼加入者の番号を抽出し、電話呼の時／日付を（１秒の精度で）記録し、次いでデータを送信しているＭＳＣ／ＶＲＬに関して適切な配信メッセージを送出する（５１）。これにより、ＭＳＣ／ＶＬＲは発呼利用者に儀礼的な通知メッセージを送り（５２で）、音声チャネルを解除することが可能になる。
ＩＩ−発呼電話番号がすでにこの特定の加入者に通信しようとした番号のリストにすでにあるかどうかを決定するために、５３で検査を起動し、この検査の結果に応じて次の動作を実行する。
−この番号がその加入者に対する発呼電話番号のリストにすでにあるならば、この利用者番号によって実行された最後の電話呼の時／日付を（５４で）、先に記録された時／日付と置き換える。
−他方、この番号がその加入者に対する発呼電話番号のリストに無ければ、この番号を最後の電話呼の時／日付と共にリストに追加する（５５で）。
ＩＩＩ−テスト５６から、電話呼が、被呼加入者の電話機に通信できなかった期間中に当該被呼加入者に向けられた初めての電話呼に該当する場合、「目標利用者」すなわち加入者が再び通信可能になった直後に通知を受け取るように、ＨＬＲ３に（ＭＡＰ  ＳＥＴ  ＭＥＳＳＡＧＥ  ＷＡＩＴＩＮＧ  ＤＡＴＡを通して）要求が行われる（５７）。
【００２１】
電話呼のアドレスが再び通信可能になったときに、ＨＬＲ３はこの事実をページング管理装置９に伝達する。本発明の好適な実施形態では、ひとたび通知を受け取ると、ページング管理装置は目標移動電話機に関連付けられる番号リストをグループに分割し、前記グループの各々に対し、このグループに含まれる電話呼に関する情報を含む、利用者に送信すべきテキストメッセージを定義する。
【００２２】
ページング管理装置は、ＵＣＰプロトコルを介して、宛先（すなわち目標）移動電話機の番号を受信人として示す、前記定義されたメッセージをショートメッセージサービスセンタ１１に送信する。
【００２３】
最後に、ＳＭＳ−Ｃは宛先移動電話機が再び通信可能になったときに該メッセージをそれに送信する。
【００２４】
前記説明によるネットワークアーキテクチャを実現するシステムは、非常に高容量のトラヒック管理を提供するのに適している。それは、毎秒３５０件の電話呼および１日に最高１千万件の電話呼を管理することができる。
【００２５】
これらの性能は、複数のノードに対するネットワーク負荷の論理分割を通して、かつ部分的にすでに公知であり、電話の分野ですでに使用されているが、最終的に利用者に新しい無料サービスを提供することができるように必要な実現、延長、および変更が組み合わされた技術の使用を通して得られる。
【００２６】
このサービスはすでに（デフォルトで）使用可能状態であるが、利用者は音声メニューの新しい選択を発呼しダイヤルすることによってその不活化を要求することができる。その後、同様の動作を実行することによって、このサービスの再活性化を要求することもできる。
【図面の簡単な説明】
【００２７】
【図１】本発明の運用の方法を示すネットワークアーキテクチャの略図である。
【図２】本発明に係る方法の領域における基本的手順のブロック図である。
【図３】本発明の方法に関するさらなる本質的手順を示すブロック図である。
【図１】
2008099307.tif 000003
【図２】
2008099307.tif 000004
【図３】
2008099307.tif 000005
【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
発信加入者から被呼加入者の無線移動電話機への電話呼を処理するための方法であって、
（Ｉ）被呼加入者の移動電話機がデタッチモードであるため、または無線周波数信号が到達しないために通信不能であり、かつ同時に応答サービスまたは別の電話番号への呼迂回サービスが作動していないかを判定するステップと、
（ＩＩ）上記判定結果がイエスである場合、交換ノードからの電話呼のシグナリング成分だけを、当該交換ノードとは別に設けられた、電話呼に関するデータ格納・管理装置に指定送信するステップと、
（ＩＩＩ）前記データ格納・管理装置において、指定送信された電話呼のシグナリング成分から発信加入者の電話番号を抽出して、その抽出された電話番号を電話呼の日時とともに番号リストに記録させるステップと、
（ＩＶ）前記交換ノードが電話呼の音声チャンネルを解除することを可能にするために、前記データ格納・管理装置から前記交換ノードに配信メッセージを送信するステップと、
（Ｖ）前記データ格納・管理装置において、被呼加入者の移動電話機が通信不能であるかを再度判定するステップと、
（ＶＩ）上記再度の判定がイエスである場合、電話呼の前記電話番号及び前記日時を含むメッセージを前記データ格納・管理装置からＳＭＳサービスセンタに送信するステップと、
（ＶＩＩ）前記ＳＭＳサービスセンタから被呼加入者の移動電話機に対して、電話呼の前記電話番号及び前記日時を含むＳＭＳメッセージを送信するステップと、を含む電話呼処理方法。
【請求項２】
前記記録するステップ（ＩＩＩ）は、
（ａ）発信加入者の電話番号が以前の電話呼の日時とともに前記番号リストに既に含まれているかをチェックするステップと、
（ｂ）上記チェック結果がイエスの場合、前記番号リストにおいて、前記発信加入者によってなされた直前の電話呼の日時を新たな電話呼の日時に書き換えるステップと、
（ｃ）上記チェック結果がノーの場合、前記発信加入者の電話番号及び電話呼の日時を前記番号リストに追加するステップと、をさらに含む、請求項１に記載の電話呼処理方法。
【請求項３】
ＨＬＲと、ＳＭＳセンターと、複数の交換ノードと、移動電話機がデタッチモードのとき、または無線周波数信号が前記移動電話機に到達できないときであって、かつ同時に応答サービスまたは別の電話番号への呼迂回装置が作動していないときに、前記移動電話機に向けられた電話呼に関するデータの格納および管理を行うための、交換ノードとは別に設けられた装置と、を備えた移動電話ネットワークシステムであって、
−前記移動電話ネットワークシステムの前記交換ノードと協働して、前記交換ノードから電話呼のシグナリング成分だけを受信するとともに、前記電話呼の前記受信したシグナリング成分から発信加入者の電話番号を抽出するのに適した手段と、
−抽出された電話番号と電話呼の日時を格納し処理するための手段と、
−前記移動電話ネットワークの前記ＨＬＲと協働して、無線周波数信号が到達可能なエリア内への前記移動電話機の戻りの通知要求を実行するのに適した手段と、
−前記移動電話ネットワークシステムの前記ＳＭＳサービスセンタと協働して、無線周波数信号が到達可能なエリア内に戻った前記移動電話機に対して、前記抽出された電話番号と電話呼の日時を包含するＳＭＳメッセージを送信するのに適した手段と、を備えている、移動電話ネットワークシステム。